(57)【要約】      （修正有）【課題】原発事故により飛散した放射性物質を吸着または付着した炭素材を収納し、放射線を遮蔽する金属製の密閉容器を提供する。【解決手段】金属製密閉容器１の内側に、鉛（Ｐｂ）２またはタリウム（Ｔｌ）を用いた二重構造の容器であって、吸着槽または濾過槽に用いた炭素材に吸着または付着した放射性物質を収納する。【選択図】図１
0003225438.tif 000002
【実用新案登録請求の範囲】
【請求項１】
乾留を用いた熱分解による気体・液体などの流体から放射性物質を炭素材の吸着槽または濾過槽を用いて分離し、放射性物質を吸着または付着した炭素材を収納する金属製の密閉容器において、
金属製容器内側に鉛（Ｐｂ）を用いた二重構造の容器に、放射性物質を吸着または付着した炭素材を密閉収納したことを特徴とした放射性物質を収納する金属製の密閉容器。
【請求項２】
金属製容器内側にタリウム（ＴＩ）を用いた二重構造の容器に、放射性物質を吸着または付着した炭素材を密閉収納した請求項１に記載の放射性物質を収納する金属製の密閉容器。
【考案の詳細な説明】
【技術分野】
【０００１】  本考案は、原発事故によって飛散した汚染土等の放射性物質を吸着槽または濾過槽を用いて、吸着または付着した炭素材を収納する金属製の密閉容器に関する。
【背景技術】
【０００２】  ２０１１年３月１１日に発生した東日本大震災は、東北地方を中心に甚大な被害をもたらした。福島県にある東京電力福島第一原子力発電所に深刻なダメージを与え、放射能の飛散による汚染が拡大された。汚染された核分裂生成物の中に、体内に取り込まれやすい核種が含まれる。除染作業で生じた汚染土（帰還困難区域を除く）は、仮置き場や除染現場にコンテナバッグ等に詰め込まれた大量の汚染土の総量は１，３００万立方メートル積み上げられている。また、汚染水も貯蔵タンクに貯められている。放射性物質が飛散された危険性の汚染廃棄物の汚染土や汚染水を早急に除染処理および処分することが望まれている。
【先行技術文献】
【特許文献】
【０００３】
【特許文献１】特願２０１９−１１５８８９号
【特許文献２】特願２０１９−  ３１０１５号
【非特許文献】
【０００４】
【引用非特許文献１】
編集  原子力のすべて編集委員会、「原子力のすべて」  第３節  放射性廃棄物を安全に処分することはできるか、４−３−１  原子力発電所から発生する放射能の低い廃棄物の処理・処分  ｐ．１５２〜１５３、トリチウム（Ｔ）ｐ．４３５、平成１５年版、独立行政法人  国立印刷局。
【引用非特許文献２】
監修者  山本喜一、最新図解「元素のすべてがわかる本」  原子核の壊れていく道筋−崩壊系列  ｐ．２４２〜２４３、鉛（Ｐｂ）ｐ．２２６〜２２７、タリウム（ＴＩ）ｐ．２２４〜２２５、ウラン（Ｕ）ｐ．２４８〜２４９、トリウム（Ｔｈ）ｐ．２４４〜２４５、ネプツニウム（Ｎｐ）ｐ．２５０〜２５１、プルトニウム（Ｐｕ）ｐ．２５２〜２５３、２０１３年版、株式会社  ナツメ社。
【引用非特許文献３】
編集兼発行者  下中邦彦、世界大百科事典２０  かん包装・特殊容器  ｐ．４０７ａ〜ｂ、１９７０年版、平凡社。
【考案の概要】
【考案が解決しようとする課題】
【０００５】  本考案は、福島第一原子力発電所の事故によって飛散した放射性物質に汚染され、除染作業で生じた汚染土に含まれる放射性物質の処理には、乾留を用いた熱分解による気体・液体・固体に分離し、気体・液体の流体から放射性物質の処理、または汚染水からの放射性物質の処理等は、吸着槽または濾過槽を用いて吸着または付着した炭素材を収納する金属製のドラム缶やキャニスターには欠点があった。【０００６】  従来の放射性廃棄物は、金属製のドラム缶やキャニスターに収納し、セメントを充填して固化する。または、放射性廃棄物を金属製容器のドラム缶に入れ、ドラム缶を積み重ねて収納し、隙間にセメントを流し込んで固めて処分場（青森県六ヶ所村）に埋設されている。３００年程度管理した後に一般的な土地利用が可能とされる。また、貯蔵タンクに貯められている汚染水の放射性物質トリチウムの処理が問題となっている。【０００７】  したがって、金属製の容器内側に鉛（Ｐｂ）またはタリウム（ＴＩ）を用いて、流体などから放射性物質を吸着または付着した炭素材を金属製密閉容器に収納し、放射性物質の安定および放射線を遮蔽する金属製の密閉容器を提供する。
【課題を解決するための手段】
【０００８】  本考案は、乾留を用いた熱分解による気体・液体などの流体から放射性物質を炭素材の吸着槽または濾過槽を用いて分離し、放射性物質を吸着または付着した炭素材を収納する金属製の密閉容器において、
金属製容器内側に鉛（Ｐｂ）を用いた二重構造の容器に、放射性物質を吸着または付着した炭素材を密閉収納した放射性物質を収納する金属製の密閉容器。【０００９】  金属製容器内側にタリウム（ＴＩ）を用いた二重構造の容器に、放射性物質を吸着または付着した炭素材を密閉収納した放射性物質を収納する金属製の密閉容器。
【考案の効果】
【００１０】  本考案に係る金属製二重構造の容器に、放射性物質が吸着または付着された炭素材を密閉収納し、放射性物質の安定および放射線を遮蔽する金属製密閉容器を貯蔵施設または処分場に埋設し、長期間封じ込めて放射能を減衰させる。
【図面の簡単な説明】
【００１１】
【図１】  本考案に係る金属製容器内に鉛を用いた密閉容器の参考側面および断面図。
【図２】  本考案に係る金属製容器内にタリウムを用いた密閉容器の参考側面および断面図。
【考案を実施するための形態】
【００１２】  金属製容器のドラム缶は、ＪＩＳ  Ｚ１６０１に規定され鋼板の厚さ０．６〜１．６ｍｍまで６種がある。ＪＩＳ  Ｚ１６０２に規定され塗料や薬品等広い分野に使用されている。特殊容器には酸素などのガスを入れるボンベ等がある。
【００１３】  放射性物質は崩壊し、安定した核種になるまで崩壊が繰り返される。天然の放射性核種の崩壊系列は、「トリウム系列」「ウラン系列」「アクチニウム系列」「ネプツニウム系列」の４つに分類される。しかし、「ネプツニウム系列」は現在では、プルトニウム２４１（２４１Ｐｕ）を起点とする、人工放射性元素の崩壊系列として知られる。
「トリウム系列（４ｎ系列）」トリウム２３２（２３２Ｔｈ）にはじまり、鉛２０８（２０８Ｐｂ）で安定する。
「ウラン系列（４ｎ＋２系列）」ウラン２３８（２３８Ｕ）にはじまり、鉛２０６（２０６Ｐｂ）で安定する。
「アクチニウム系列（４ｎ＋３系列）」ウラン２３５（２３５Ｕ）にはじまり、鉛２０７（２０７Ｐｂ）で安定する。
「ネプツニウム系列（４ｎ＋１系列）」ネプツニウム２３７（２３７Ｎｐ）にはじまり、タリウム２０５（２０５ＴＩ）で安定する。原子核の壊れていく４つに分類される崩壊系列。
【００１４】したがって、放射性核種の崩壊系列の放射性物質が安定する鉛（Ｐｂ）またはタリウム（ＴＩ）を、ドラム缶またはキャニスターなどの金属製容器を二重構造用にすることにより放射性物質の安定および放射線を遮蔽する金属製密閉容器となる。
【００１５】  金属製容器の内側に鉛（Ｐｂ）またはタリウム（ＴＩ）を用いた二重構造の容器に、放射性物質を吸着または付着した炭素材を収納する金属製密閉容器である。鉛（Ｐｂ）またはタリウム（ＴＩ）を内側に用いた二重構造にした金属製密閉容器に放射性物質を含む炭素材を収納し、放射性物質の安定および放射線を遮蔽する金属製密閉容器を貯蔵施設または処分場に埋設し、長期間封じ込めて放射能を減衰させる。
【００１６】  乾留を用いた熱分解による気体・液体の流体に含まれる放射性物質を吸着または付着する炭素材は、分子ふるい活性炭等・繊維状活性炭（ＡＣＦ）・多孔質カーボン・グラファイトの膨張黒鉛・ナノカーボン等からなる炭素材の吸着槽または濾過槽が用いられる。固体は大地に戻し、利用される。吸着槽または濾過槽に用いられる炭素材の詳細は、特願２０１９−１１５８８９号・特願２０１９−３１０１５号に記載されている。
【００１７】  ナノカーボンは、Ｃ６０からＣ９６までのフラーレンまたはＳＷＣＮＴ（単層ナノチューブ）等が用いられる。東京電力福島第一原発で汚染水の浄化処理後にタンクで保管を続ける放射性物質トリチウム（Ｔ）を含む水を、ナノカーボン（フラーレンまたはＳＷＣＮＴ等）を用いた濾過槽または吸着槽を使って低減する。トリチウム（Ｔ）は水素の放射性同位体、軽水や重水の中性子照射などにより生成される放射性物質であり、半減期は１２．３年である。放射性物質トリチウム（Ｔ）を含む水は、ナノカーボン等を用いた濾過槽を使って付着または吸着させてトリチウムを低減する。また、放射性物質トリチウム（Ｔ）を含む水を加熱して気体をナノカーボン等を用いた吸着槽を使って吸着または付着させてトリチウムを低減する。濾過槽または吸着槽に用いたナノカーボン等の炭素材は、鉛（Ｐｂ）またはタリウム（Ｔ）を用いた二重構造の金属製密閉容器に収納し、貯蔵施設または処分場に埋設され、長期間封じ込めて減衰させる。濾過槽等によりトリチウムが低減された水は海へ放出され、吸着槽等によりトリチウムが低減された気体は大気中に放出される。海水または大気中に含まれている放射性トリチウム（Ｔ）と同程度にして放出されることが望まれる。濾過槽または吸着槽の操作を、２つ以上繰り返し行うことによって放射性トリチウム（Ｔ）を低減することでき、海水または大気中に放出される。
【００１８】  図１に示す。金属製密閉容器１の内側に鉛（Ｐｂ）２を用いた二重構造の容器に、放射性物質を吸着槽または濾過槽に用いた炭素材を収納する金属製密閉容器１。鉛（Ｐｂ）２を用いることにより、放射性物質の安定および放射線を遮蔽する金属製密閉容器１を貯蔵施設または処分場に埋設し、放射性物質を長期間封じ込めて減衰させる。
【００１９】  図２に示す。金属製密閉容器１の内側にタリウム（ＴＩ）３を用いた二重構造の容器に、放射性物質を吸着槽または濾過槽に用いた炭素材を収納する金属製密閉容器１。タリウム（ＴＩ）３を用いることにより、放射性物質の安定および放射線を遮蔽する金属製密閉容器１を貯蔵施設又は処分場に埋設し、放射性物質を長期間封じ込めて減衰させる。
【００２０】  原発事故により飛散された危険性が指摘される放射性物質は、ヨウ素１３１（１３１Ｉ）／セシウム（１３７Ｃｓ）／ストロンチウム９０（９０Ｓｒ）／プルトニウム（２３９Ｐｕ）であり、危険性が指摘される放射性物質の体内に取り込まれやすい核種を、吸着槽等を使った炭素材を密閉容器に収納し、貯蔵施設または処分場に埋設される詳細は、特願２０１９−１１５８８９号に記載されるので省略する。
【符号の説明】
【００２１】  １  金属製密閉容器
２  鉛（Ｐｂ）
３  タリウム（ＴＩ）
【図１】
0003225438.tif 000003
【図２】
0003225438.tif 000004